(57)【要約】  本発明は、エレベータ乗りかごの気密性を向上させるものである。  エレベータの出入口装置においては、エレベータの乗りかごの出入口（２０）を水平方向に開閉する両開き式の引き戸（３）と、出入口（２０）の下部に設けられ、引き戸（３）を開閉方向に案内する敷居（４）と、引き戸（３）の戸当側端部に設けられ、戸閉時に引き戸３間の隙間を閉塞する第１の気密部品（５）と、引き戸（３）の下端に設けられ、引き戸（３）と敷居（４）との隙間を閉塞する第２の気密部品（６）と、引き戸（３）の戸当面の下端に、第１の気密部品（５）の下端及び第２の気密部品（６）の戸当側端部と当接するように設けられ、戸閉時に引き戸（３）の戸当下部と敷居（４）との隙間を閉塞する第３の気密部品（７）とを備える。
2016006018.tif 000002
【特許請求の範囲】
【請求項１】
エレベータの乗りかごの出入口を水平方向に開閉する両開き式の引き戸と、前記出入口の下部に設けられ、前記引き戸を開閉方向に案内する敷居と、前記引き戸の戸当側端部に設けられ、戸閉時に前記引き戸間の隙間を閉塞する第１の気密部品と、前記引き戸の下端に設けられ、前記引き戸と前記敷居との隙間を閉塞する第２の気密部品と、前記引き戸の戸当面の下端に、前記第１の気密部品の下端及び前記第２の気密部品の戸当側端部と当接するように設けられ、戸閉時に前記引き戸の戸当下部と前記敷居との隙間を閉塞する第３の気密部品とを備えるエレベータの出入口装置。
【請求項２】
前記第２の気密部品は、前記第２の気密部品の戸当側端部に形成された段部と、前記乗りかご側に突出し前記敷居の溝に挿入される突出部とを有し、前記第３の気密部品は、前記引き戸の戸当面の下端に嵌合しその底部が前記段部に当接する凹部と、この凹部の下方に設けられ前記第２の気密部品の突出部の戸当側端部に当接する前記乗りかご側に延びる接触部とを有する請求項１に記載のエレベータの出入口装置。
【請求項３】
前記第３の気密部品の凹部は、前記底部及び当該底部から鉛直上方に延びる第１の鉛直部と第２の鉛直部とから形成され、前記第１の鉛直部の内面が前記引き戸の戸当面の外側と当接し、前記第２の鉛直部の内面が前記引き戸の戸当面の内側と当接し、前記第１の鉛直部の方が前記第２の鉛直部より水平方向の寸法が長い請求項２に記載のエレベータの出入口装置。
【請求項４】
前記第３の気密部品は、前記第２の鉛直部の水平方向の寸法が前記引き戸の戸当面の幅よりも短い請求項３に記載のエレベータの出入口装置。
【請求項５】
前記第３の気密部品の接触部及び前記第２の気密部品の突出部の形状は鉛直断面が曲面である請求項２に記載のエレベータの出入口装置。
【請求項６】
前記第３の気密部品は弾性材から成る請求項１から請求項５のいずれかに記載のエレベータの出入口装置。
【発明の詳細な説明】
【技術分野】
【０００１】  この発明は、エレベータの乗りかごの出入口装置に関する。
【背景技術】
【０００２】  エレベータの乗りかごの出入口装置は、出入口を構成する上枠、縦枠、敷居と、出入口を開閉する中央開き形式の引き戸から構成される。この構成を有する乗りかごでは、戸全閉時に、引き戸の戸当間、引き戸と敷居との間にわずかな隙間が生じていた。そこで、従来のエレベータの出入口装置では、引き戸の戸当及び引き戸の下端に気密部品を設けて、これらの隙間を閉塞している（例えば特許文献１参照）。
【先行技術文献】
【特許文献】
【０００３】
【特許文献１】特開２００７−３０８２８７号公報（第４頁、第１図）
【発明の概要】
【発明が解決しようとする課題】
【０００４】  しかしながら、従来のエレベータの出入口装置では、引き戸の戸当間、引き戸と敷居との間に生じる隙間は閉塞できるものの、戸当間の下部と敷居との間にわずかな隙間が残っており、気密性が不十分であるという問題点があった。【０００５】  この発明は上記のような問題を解決するためになされたもので、エレベータの乗りかごの気密性を向上させる出入口装置を得るものである。
【課題を解決するための手段】
【０００６】  この発明に係るエレベータの出入口装置においては、エレベータの乗りかごの出入口を水平方向に開閉する両開き式の引き戸と、前記出入口の下部に設けられ、前記引き戸を開閉方向に案内する敷居と、前記引き戸の戸当側端部に設けられ、戸閉時に前記引き戸間の隙間を閉塞する第１の気密部品と、前記引き戸の下端に設けられ、前記引き戸と前記敷居との隙間を閉塞する第２の気密部品と、前記引き戸の戸当面の下端に、前記第１の気密部品の下端及び前記第２の気密部品の戸当側端部と当接するように設けられ、戸閉時に前記引き戸の戸当下部と前記敷居との隙間を閉塞する第３の気密部品とを備える。
【発明の効果】
【０００７】  この発明は、戸閉時に前記引き戸の戸当下部と前記敷居との隙間を閉塞する第３の気密部品を引き戸の戸当面下端に設けることにより、戸全閉時におけるエレベータの乗りかごの気密性を向上できる。
【図面の簡単な説明】
【０００８】
【図１】この発明の実施の形態１に関するエレベータの乗りかごの斜視図である。
【図２】この発明の実施の形態１を示すエレベータ出入口装置を昇降路側から見た図である。
【図３】図２の要部斜視図である。
【図４】図３の戸当下部気密部品を外した図である。
【図５】図４の下部気密部品を外した図である。
【図６】図３の側面図である。
【図７】図６の戸当下部気密部品を外した図である。
【図８】戸当下部気密部品の斜視図である。
【図９】図２のＡ−Ａ断面図である。
【図１０】図９の戸開時の図である。
【図１１】図９のＢ−Ｂ断面図である。
【図１２】図１０のＢ−Ｂ断面図である。
【図１３】この発明の実施の形態２を示すエレベータの出入口装置の要部斜視図である。
【図１４】図１３の側面図である。
【図１５】この発明の実施の形態２を示す要部断面図である。
【図１６】図１５の戸開時の図である。
【発明を実施するための形態】
【０００９】実施の形態１．  図１は、この発明の実施の形態１に関するエレベータの乗りかごの斜視図である。乗りかごは、出入口２０を形成する上枠１、一対の縦枠２及び敷居４と、前記出入口２０を開閉する中央開き形式の引き戸３とから構成される出入口装置３０を備える。図１の例では、引き戸３は、２枚設けられている。  出入口装置３０の上枠１は、乗りかごの上部に、また敷居４は、乗りかごの下部にそれぞれ設けられている。２枚の引き戸３は、上枠１と敷居４に沿って水平方向で相互に反対方向に移動し、出入口２０を開閉する。
【００１０】  図２は、この発明の実施の形態１を示すエレベータの出入口装置を昇降路側から見た図である。出入口装置３０は、戸当気密部品５、下部気密部品６、戸当下部気密部品７を備える。戸当気密部品５は、第１の気密部品であり、戸全閉時に引き戸３の戸当面間の隙間を閉塞するように戸当側端部にそれぞれ設けられる。下部気密部品６は、第２の気密部品であり、引き戸３と敷居４との隙間を閉塞するように引き戸３の下端に設けられる。また、戸当下部気密部品７は、第３の気密部品であり、戸閉時に引き戸３の戸当下部と敷居４との隙間を閉塞するように引き戸３の戸当面の下端に設けられる。
【００１１】  図３から図８に基づいて、この実施の形態のエレベータの出入口装置を説明する。図３は、この発明の実施の形態１を示す要部斜視図である。図４は、図３の戸当下部気密部品７を外した図である。図５は、図４の下部気密部品を外した図である。図６は、この発明の実施の形態１を示す要部を戸当側から見た側面図である。図７は、図６の戸当下部気密部品７を外した図である。図８は、戸当下部気密部品７の斜視図である。
【００１２】  図３に示すように、引き戸３は、戸当側端部が水平断面コ字状に屈曲成形され、戸当面３Ａを形成する。また、図４及び図５に示すように、戸当面３Ａの下端は、切欠き部３Ｂが形成されている。戸当気密部品５は、屈曲成形された、昇降路側の面に、上下に渡って設けられる。戸当気密部品５は、その一端部が引き戸３の戸当面３Ａよりも突出して設けられる。この戸当気密部品５は、戸全閉時に互いに当接し、両方の戸当面３Ａの間に生じる隙間を閉塞する。
【００１３】  下部気密部品６は、図４に示すように、その上部が昇降路側から引き戸３の下端に当接し、ネジ１０によって引き戸３の下端に戸開閉方向に渡って固定される。この下部気密部品６は、引き戸３の下端部と平行な鉛直部６Ｃとこの鉛直部６Ｃの下端から水平方向に形成された突出部６Ｄとを有するＬ字状の弾性材で構成される。Ｌ字状の弾性材の、それぞれ他方の引き戸側に対向する端部には、戸当下部気密部品７の一部が当接する段部で形成された固定部６Ｂと戸当下部気密部品７の一部が当接する当接部６Ｅとを有する。突出部６Ｄは、鉛直部６Ｃの下端から乗りかご側に突出し、また突出する先端部は、鉛直断面が曲面になっている接触部６Ａを有する。この接触部６Ａは、敷居４の溝に挿入され、図７に示すように、敷居４の溝を形成する鉛直面のうち、乗りかご（図示せず）側と常に当接している。これにより、引き戸３と敷居４との間に生じる隙間を閉塞できる。接触部６Ａは、断面が曲面になっているので、敷居４の溝の鉛直面との接触面積が小さくなる。そのため、戸開閉時は、摩擦抵抗が低減され、戸開閉動作がスムーズである。
【００１４】  次に、戸当下部気密部品７の構成について、図８に基づいて説明する。  戸当下部気密部品７は、図８に示すように、本体７Ｃと接触部材７Ｇとから構成される。本体７Ｃは、底部７Ｆと、この底部７Ｆからそれぞれ鉛直方向に延びる第１の鉛直部７Ｄ及び第２の鉛直部７Ｅとを有し、これらにより凹部を形成する。第１の鉛直部７Ｄと第２の鉛直部７Ｅは、平行に設けられており、第１の鉛直部７Ｄは、第２の鉛直部７Ｅよりも水平方向に長く、鉛直方向に短い寸法となっている。一方、接触部材７Ｇは、この第１の鉛直部７Ｄから下方に延びたＬ字状を成し、下部気密部品６の接触部６Ａと同様の形状をなす接触部７Ａを形成している。  戸当下部気密部品７の本体７Ｃの凹部は、引き戸３の戸当面３Ａの下端に成形された切欠き部３Ｂに嵌め込み可能で、嵌め込むと、第１の鉛直部７Ｄの内面が戸当面３Ａの外側と当接し、第２の鉛直部７Ｅの内面が戸当面３Ａの内側と当接するとともに、底部７Ｆの内面が切欠き部３Ｂの縁部と当接する。また、底部７Ｆの外面は、下部気密部品６の固定部６Ｂに当接する。ここで、第２の鉛直部７Ｅは、水平方向の寸法が戸当面３Ａの幅よりも短くなっている。このため、戸当下部気密部品７を戸当面３Ａの下端に成形された切欠き部３Ｂに嵌め込むと、引き戸３のコ字状部の内側には、コ字の向かい合う２つの面と第２の鉛直部７Ｅの両側面との間に、それぞれ空間１１が生じる。  図６に示すように、戸当下部気密部品７の接触部７Ａも、敷居４の溝を形成する鉛直面のうち、乗りかご（図示せず）側と常に当接しているが、戸開閉時は摩擦抵抗が低減される形状になっているので、戸開閉動作がスムーズである。なお、戸当下部気密部品７は、弾性材、例えば、クロロプレンゴム、エチレンプロピレンゴム等から成る。このため、戸当下部気密部品７の凹部を形成する第１及び第２の鉛直部７Ｄ、７Ｅは、引き戸３の開閉方向に弾性力を有し、前記凹部を引き戸３の戸当面３Ａの下端に成形された切欠き部３Ｂに挿入すると、第１及び第２の鉛直部７Ｄ、７Ｅは、弾性力により引き戸３の戸当面３Ａの切欠き部３Ｂを含む下端を挟み込み、これにより戸当面３Ａの下端を嵌合することができる。  なお、第１の鉛直部７Ｄは、第２の鉛直部７Ｅと比べて、鉛直方向に短い寸法となっているとしたが、これに限らず、同じ寸法でも良い。
【００１５】  次に下部気密部品６及び戸当下部気密部品７の取付方法を説明する。  戸当下部気密部品７の本体７Ｃの凹部の溝を下方から図５に示す、引き戸３の戸当面３Ａの下端の切欠き部３Ｂに向けた状態で当該凹部の溝を切欠き部３Ｂに嵌め込む。これにより戸当下部気密部品７と切欠き部とが嵌合する。戸当下部気密部品７を引き戸３の切欠き部３Ｂに嵌合すると、戸当下部気密部品７の当接部７Ｂは、戸当気密部品５の下端と当接するので、気密性が向上する。ここで、引き戸３のコ字状部の内側には、コ字の向かい合う２つの面と第２の鉛直部７Ｅの両側面との間にそれぞれ空間１１が生じる。この空間１１の分、図６に示す矢印ａの方向に、戸当下部気密部品７は、取付位置を調整できる。これにより、据付誤差に応じて、戸当下部気密部品７の敷居４への押圧量を調整し、良好な気密状態を確保できる。なお、戸当下部気密部品７の取付位置を調整しても、当接部７Ｂは戸当気密部品５の下端と常に当接している。戸当下部気密部品７の取付位置を調整した後に、下部気密部品６を引き戸３の下端に取付ける。下部気密部品６を固定すると、下部気密部品６の固定部６Ｂが戸当下部気密部品７の底部７Ｆに当接し、戸当下部気密部品７を固定する。これにより、戸当下部気密部品７は、上下方向と戸開閉方向への移動が規制されるため、脱落の恐れがない。また、戸当下部気密部品７の固定は、下部気密部品６を引き戸３から取外すことで解除されるので、保守交換時の作業も容易である。
【００１６】  図９は、図２のＡ−Ａ断面図である。図１０は、図９の戸開時の図である。図１１は、図９のＢ−Ｂ断面図である。図１２は、図１０のＢ−Ｂ断面図である。  この実施の形態におけるエレベータの出入口装置においては、図９及び図１１に示すように、戸全閉時に引き戸３，３の戸当面３Ａ，３Ａの下部と敷居４との間に生じる隙間を戸当下部気密部品７が閉塞する。これにより、乗りかごの気密性が向上する。
【００１７】  この実施の形態によると、戸当気密部品５、下部気密部品６に加えて、戸当下部気密部品７を設けたことにより、戸全閉時における乗りかごの気密性を向上できる。戸当下部気密部品７は、引き戸３の戸当面３Ａの下端に嵌合し、下部気密部品６で当接固定するだけで取付けが可能で、取付作業が容易である。また、戸当下部気密部品７は、下部気密部品６によって当接固定されると、上下方向と戸開閉方向への移動が規制されるため、戸開時に乗客等が誤って衝突しても、脱落の恐れがない。更に、下部気密部品６及び戸当下部気密部品７は、引き戸３の開閉時に敷居４との摩擦抵抗を低減できる形状となっているので、戸開閉動作がスムーズである。加えて、戸当下部気密部品７の取付位置を調整することで良好な気密状態を確保できる。
【００１８】実施の形態２．  図１３から図１６に基づいて、この形態のエレベータの出入口装置について説明する。図１３は、この発明の実施の形態２を示すエレベータの出入口装置の要部斜視図である。図１４は、この発明の実施の形態２を示すエレベータの出入口装置の要部を戸当側から見た側面図である。図１５及び図１６は、それぞれ、実施の形態２に関する図１１及び図１２と同態様の図である。  この実施の形態における戸当気密部品９は、引き戸３の戸当面に上下に渡って、埋め込んで設けられる。戸当気密部９は、水平断面形状が半円になっている。下部気密部品６と戸当下部気密部品７は、実施の形態１と同じである。また、その他の構成も、実施の形態１と同じである。この実施の形態においても、戸当下部気密部品７の当接部７Ｂは、戸当気密部品９の下端と常に当接している。さらに、図１４に示す矢印ｂの方向に、戸当下部気密部品７は、取付位置を調整できる。
【００１９】  この実施の形態においても、実施の形態１と同様に、戸当気密部品９，９、下部気密部品６，６に加えて、戸当下部気密部品７，７を設けたことにより、戸全閉時における乗りかごの気密性を向上できる。戸当下部気密部品７は、引き戸３の戸当面３Ａの下端に嵌合し、下部気密部品６で当接固定するだけで取付けが可能で、取付作業が容易である。また、戸当下部気密部品７は、下部気密部品６によって当接固定されると、上下方向と戸開閉方向への移動が規制されるため、戸開時に乗客等が誤って衝突しても、脱落の恐れがない。更に、下部気密部品６及び戸当下部気密部品７は、引き戸３，３の開閉時に敷居４との摩擦抵抗を低減できる形状となっているので、戸開閉動作がスムーズである。加えて、戸当下部気密部品７の取付位置を調整することで良好な気密状態を確保できる。
【符号の説明】
【００２０】  １  上枠、２  縦枠、３  引き戸、４  敷居、５、９  戸当気密部品、６  下部気密部品、７  戸当下部気密部品、１０  ネジ、２０  出入口、３０  出入口装置
【図１】
2016006018.tif 000003
【図２】
2016006018.tif 000004
【図３】
2016006018.tif 000005
【図４】
2016006018.tif 000006
【図５】
2016006018.tif 000007
【図６】
2016006018.tif 000008
【図７】
2016006018.tif 000009
【図８】
2016006018.tif 000010
【図９】
2016006018.tif 000011
【図１０】
2016006018.tif 000012
【図１１】
2016006018.tif 000013
【図１２】
2016006018.tif 000014
【図１３】
2016006018.tif 000015
【図１４】
2016006018.tif 000016
【図１５】
2016006018.tif 000017
【図１６】
2016006018.tif 000018
【手続補正書】
【提出日】平成28年9月13日(2016.9.13)
【手続補正１】
【補正対象書類名】特許請求の範囲
【補正対象項目名】全文
【補正方法】変更
【補正の内容】
【特許請求の範囲】
【請求項１】
エレベータの乗りかごの出入口を水平方向に開閉する両開き式の引き戸と、
前記出入口の下部に設けられ、前記引き戸を開閉方向に案内する敷居と、
前記引き戸の戸当側端部に設けられ、戸閉時に前記引き戸間の隙間を閉塞する第１の気密部品と、
前記引き戸の下端に設けられ、前記引き戸と前記敷居との隙間を閉塞する第２の気密部品と、
前記引き戸の戸当面の下端に、前記第１の気密部品の下端及び前記第２の気密部品の戸当側端部と当接するように設けられ、戸閉時に前記引き戸の戸当下部と前記敷居との隙間を閉塞する前記第２の気密部品とは別体の第３の気密部品と
を備えるエレベータの出入口装置。
【請求項２】
前記第２の気密部品は、前記第２の気密部品の戸当側端部に形成された段部と、前記乗りかご側に突出し前記敷居の溝に挿入される突出部とを有し、
前記第３の気密部品は、前記引き戸の戸当面の下端に嵌合しその底部が前記段部に当接する凹部と、この凹部の下方に設けられ前記第２の気密部品の突出部の戸当側端部に当接する前記乗りかご側に延びる接触部とを有する請求項１に記載のエレベータの出入口装置。
【請求項３】
前記第３の気密部品の凹部は、前記底部及び当該底部から鉛直上方に延びる第１の鉛直部と第２の鉛直部とから形成され、
前記第１の鉛直部の内面が前記引き戸の戸当面の外側と当接し、前記第２の鉛直部の内面が前記引き戸の戸当面の内側と当接し、前記第１の鉛直部の方が前記第２の鉛直部より水平方向の寸法が長い請求項２に記載のエレベータの出入口装置。
【請求項４】
前記第３の気密部品は、前記第２の鉛直部の水平方向の寸法が前記引き戸の戸当面の幅よりも短い請求項３に記載のエレベータの出入口装置。
【請求項５】
前記第３の気密部品の接触部及び前記第２の気密部品の突出部の形状は鉛直断面が曲面である請求項２に記載のエレベータの出入口装置。
【請求項６】
前記第３の気密部品は弾性材から成る請求項１から請求項５のいずれかに記載のエレベータの出入口装置。
【国際調査報告】
2016006018.tif 000019
2016006018.tif 000020
2016006018.tif 000021
2016006018.tif 000022